(57)【特許請求の範囲】
【請求項１】
容器の口筒部に装着され、注出孔を形成する隔壁を具えたキャップであって、
隔壁には、下面から刻設された切断溝を介して除去部が形成され、除去部上面には、支柱を介して指かけリングが設けられ、
除去部は、支柱を連設する支柱部と、支柱部から隔壁の中央を通る中心線の方向に伸びる縦方向部と、縦方向部に対して前後に左右非対称に形成される横方部とからなっていることを特徴とするキャップ。
【請求項２】
除去部が、上面に支柱を連設する支柱部と、支柱部から中央に向かい延びる後方部と、後方部から縦方向に延びる前方部と、後方部および前方部が形成する縦方向に対して中央より後方部側に寄った位置から横方向に延びる後横方部と、縦方向に対して後横方部の前方部側に寄った位置から横方向に延びる前横方部とからなっていることを特徴とする請求項１記載のキャップ。
【請求項３】
除去部が、上面に支柱を連設する支柱部と、支柱部から縦方向に延びる前方部と、前方部の支柱部側に寄った位置に形成される半円形の後横方部と、該後横方部より尖端部側に寄った位置に形成される半円形の前横方部とからなっていることを特徴とする請求項１記載のキャップ。
【請求項４】
除去部が、支柱部の片側に凹部を形成し、両側の横方部がほぼ円形に形成されていることを特徴とする請求項１記載のキャップ。
【請求項５】
除去部が、支柱部の両側に前後にずらして径の違う凹部を形成し、両側の横方部がほぼ円形に形成されていることを特徴とする請求項１記載のキャップ。
【請求項６】
支柱付近の切断溝の深さが、他の切断溝の深さに比べ深く形成されていることを特徴とする請求項１〜５のいずれかに記載のキャップ。
【発明の詳細な説明】
【技術分野】
【０００１】
本発明は、容器の口筒部に装着されるキャップ、とくにキャップの隔壁の注出孔の形状に関するものである。
【背景技術】
【０００２】
醤油などの食用液を収納する容器の口筒部に装着するキャップ本体と開閉蓋とからなる合成樹脂製のキャップにおいて、キャップ本体の注出筒の下部に設けた隔壁に切断溝を介して除去部を設け、除去部の上面にプルリングを配し、内容液を使用する際に、プルリングを介し、除去部を引張り、切断溝を切裂き、抜栓することで隔壁に注出孔を開口するキャップは、従来より知られている（例えば、特許文献１）。
【特許文献１】特許第３１１１８３１号公報
【発明の開示】
【発明が解決しようとする課題】
【０００３】
しかしながら、特許文献１のキャップでは、除去部を隔壁から抜栓する際に、プルリングを引張る力は、プルリングの支柱から反対方向に向かう縦方向の力であり、縦方向の切断溝を切断するのは簡単だが、横方向に向かう切断溝を切断するために、力が分散されるとともに、左右方向同時に力がかかり、抜栓に強い力が必要であった。
【０００４】
本発明は、上記の問題を解決することを課題とし、隔壁の除去部の縦方向に対して左右方向に延びるように形成された切断溝を切断し、抜栓する際に、弱い力でも抜栓できるようにしたキャップを提供することを目的とする。
【課題を解決するための手段】
【０００５】
本発明は、上記の課題を解決するため、キャップとして、容器の口筒部に装着され、注出孔を形成する隔壁を具えたキャップであって、隔壁には、下面から刻設された切断溝を介して除去部が形成され、除去部上面には、支柱を介して指かけリングが設けられ、除去部は、支柱を連設する支柱部と、支柱部から隔壁の中央を通る中心線の方向に伸びる縦方向部と、縦方向部に対して前後に左右非対称に形成される横方部とからなっていることを特徴とする構成を採用する。
【０００６】
除去部の実施例として、除去部が、上面に支柱を連設する支柱部と、支柱部から中央に向かい延びる後方部と、後方部から縦方向に延びる前方部と、後方部および前方部が形成する縦方向に対して中央より後方部側に寄った位置から横方向に延びる後横方部と、縦方向に対して後横方部の前方部側に寄った位置から横方向に延びる前横方部とからなっていることを特徴とする構成、または、除去部が、上面に支柱を連設する支柱部と、支柱部から縦方向に延びる前方部と、前方部の支柱部側に寄った位置に形成される半円形の後横方部と、該後横方部より尖端部側に寄った位置に形成される半円形の前横方部とからなっていることを特徴とする構成を採用する。
【０００７】
さらにまた、除去部の別実施例として、除去部が、支柱部の片側に凹部を形成し、両側の横方部がほぼ円形に形成されていることを特徴とする構成、または、除去部が、支柱部の両側に前後にずらして径の違う凹部を形成し、両側の横方部がほぼ円形に形成されていることを特徴とする構成、或いは、支柱付近の切断溝の深さが、他の切断溝の深さに比べ深く形成されていることを特徴とする構成を採用する。
【発明の効果】
【０００８】
容器の口筒部に装着され、注出孔を形成する隔壁を具えたキャップにおいて、隔壁の除去部が中心線に対して、左右非対称に形成されていることにより、隔壁から除去部を抜栓する際に、左右部分が時差をもって抜栓されることにより、大きな力のかかる個所を分散させることができ、引張り力を小さくすることができる。
また、左右部分が時差をもって抜栓されることにより、一気に抜栓が進むことを防止でき、抜栓の際の液はねを防止することができる。
【発明を実施するための最良の形態】
【０００９】
次に、本発明のキャップについて、実施例をあげ、図面を参照して説明する。
【実施例１】
【００１０】
図１において、Ａは容器の口筒部に取着されるキャップである。
キャップＡは、合成樹脂により射出成形され、キャップ本体Ａ１と、キャップ本体Ａ１の上端部にヒンジＡ２を介して連設され、閉蓋時にキャップＡ内を密閉する開閉蓋Ａ３とからなっている。
【００１１】
キャップ本体Ａ１は、リング状の上壁１と、上壁１外縁に垂設され、容器の口筒部外周に嵌合する外筒２と、上壁１上面に立設され、開閉蓋Ａ３と係合する蓋係合部３と、上壁１の内周に連設され、上方に拡径した注出筒４とを具えており、注出筒４の下端には、注出口が開口される隔壁５が連設されている。
【００１２】
隔壁５には、図１、２に示すように、下面から刻設された切断溝６を介して除去部７が形成され、除去部７上面のヒンジＡ２側には、支柱８を介して指かけリング９が設けられている。
また、隔壁５には、除去部７を切り離すことによって、内容液を注出する注出孔１０が形成される。
【００１３】
除去部７は、上面に支柱８を連設するように支柱８の下端面の形状に形成される支柱部７ａと、支柱部７ａから中央に向かい延びる後方部７ｂと、後方部７ｂからヒンジＡ２の反対側に向かい縦方向に延びる前方部７ｃがそれぞれの切断溝６の切断部６ａ、６ｂ、６ｃにより形成されている。
【００１４】
また、除去部７の後方部７ｂおよび前方部７ｃが形成する縦方向に対して後方部７ｂ側に寄った位置から横方向に延びる後横方部７ｄが、縦方向に対して後横方部７ｄの反対側に前方部７ｃ側に寄った位置から横方向に延びる前横方部７ｅがそれぞれの切断溝６の切断部６ｄ、６ｅにより形成されている。
【００１５】
除去部７の形状にともない、注出孔１０には、図２（ｂ）に示すように、前方口部１０ａと、前横方口部１０ｂと、後横方口部１０ｃと、後方口部１０ｄとが形成される。
【００１６】
次に、本実施例の容器の使用態様と作用効果について説明する。
容器の使用にあたっては、まず、キャップＡの開閉蓋Ａ３を開蓋し、キャップ本体Ａ１の注出筒４内の指かけリング９に指をかけて上方に引張り上げる。
【００１７】
指かけリング９を引張ることにより、支柱８を介し隔壁５の除去部７の支柱部７ａが引張られ、切断溝６の切断部６ａがヒンジＡ２側から切断されていく。
【００１８】
さらに引張ると、後方部７ｂが引張られ、切断部６ｂを切断し、まず、後方部７ｂとともに後横方部７ｄを中央側から引張り、切断部６ｄを中央側から切断していく。
次に、前方部７ｃとともに前横方部７ｅを中央側から引張り、切断部６ｃおよび切断部ｅを中央側から切断してゆき、最後は、隔壁５から除去部７を切り離し、注出孔１０を開口する。
【００１９】
本実施例のキャップは、隔壁５の除去部７の後横方部７ｄと前横方部７ｅが、支柱部７ａと後方部７ｂと前方部７ｃとで形成される縦方向に対して左右非対称で配設され、隔壁５から除去部７を抜栓する際に、左右が時差をもって抜栓されることにより、横方向の部分を抜栓する力の一番かかる個所を分散させることができ、左右を同時に抜栓するものに比べ、引張り力を小さくすることができる。
【００２０】
また、力の方向が左右に時差をもって変わるので、ある程度の抵抗となりながら、抜栓されていくので、一気に抜栓が進むことを防止でき、抜栓の際の液はねを防止することができる。
【００２１】
内容液の注出にあたって、容器をヒンジＡ２の反対方向に徐々に傾けると、キャップ本体Ａ１の注出孔１０の前方口部１０ａの尖端部から内容液が細幅に流れ出るようにすることができる。
【００２２】
また、ヒンジＡ２の側方向のいずれかに徐々に傾けると、キャップ本体Ａ１の注出孔１０の前横方口部１０ｂまたは後横方口部１０ｃのいずれかの尖端部から内容液が細幅に流れ出るようにすることができる。
【００２３】
上記実施例では、キャップＡを、キャップ本体Ａ１と開閉蓋Ａ３とをヒンジＡ２を介して一体成形したヒンジキャップとしたが、本発明はキャップの隔壁に関するものであり、キャップ本体と開閉蓋が別体のものでもよく、例えば、キャップ本体に螺着される開閉蓋などでもよい。
また、ヒンジキャップでない場合では、ヒンジが邪魔をすることがないので、キャップ本体Ａ１の注出孔１０の後方口部１０ｄ側でも、内容液が流れ出るように容器を利用することができる。
キャップ本体と開閉蓋に関する構成は、上記実施例の形態に限定されない。
【実施例２】
【００２４】
次に、第１実施例のキャップの隔壁の構成を変えた第２実施例について、説明する。
本実施例の第１実施例と同一の構成部分には、同一の符号を付して図示し、詳しい説明を省略し、相違点を中心に説明する。  
【００２５】
図３に示すように、キャップ本体Ａａ１は、上方に拡径した注出筒４を具えており、注出筒４の下端には、注出口が開口される隔壁１５が連設されている。
【００２６】
隔壁１５には、下面から刻設された切断溝１６を介して除去部１７が形成され、除去部１７上面のヒンジＡ２側には、支柱８を介して指かけリング９が設けられている。
また、隔壁１５には、除去部１７を切り離すことによって、内容液を注出する注出孔１８が形成される。
【００２７】
除去部１７は、上面に支柱８を連設するように支柱８の下端面の形状に形成される支柱部１７ａと、支柱部１７ａからヒンジＡ２の反対側に延びる前方部１７ｂと、前方部１７ｂの中央より支柱部１７ａ側に寄った位置に形成される半円形の後横方部１７ｃと、前方部１７ｂの中央より尖端部側に寄った位置に形成される半円形の前横方部１７ｄがそれぞれの切断溝１６の切断部１６ａ、１６ｂ、１６ｃ、１６ｄにより形成されている。
【００２８】
除去部１７の形状にともない、注出孔１８には、図３（ｂ）に示すように、前方口部１８ａと、前横方口部１８ｂと、後横方口部１８ｃと、後方口部１８ｄとが形成される。
【００２９】
次に、本実施例の容器の使用態様と作用効果について説明する。
指かけリング９を引張ることにより、支柱８を介し隔壁１５の除去部１７の支柱部１７ａが引張られ、切断溝１６の切断部１６ａがヒンジＡ２側から切断されていく。
【００３０】
さらに引張ると、前方部１７ｂのヒンジＡ２側から切断されていくとともに、後横方部１７ｃを中央側から引張り、次に、前横方部１７ｄを中央側から引張り、切断部１６ｃ、１６ｄ、１６ａを順次切断してゆき、最後は、隔壁１５から除去部１７を切り離し、注出孔１８を開口する。
【００３１】
本実施例のキャップは、隔壁１５の除去部１７の後横方部１７ｃと前横方部１７ｄが、前方部１７ｂに対して左右非対称で配設され、隔壁１５から除去部１７を抜栓する際に、左右が時差をもって抜栓されることにより、横方向の部分を抜栓する力の一番かかる個所を分散させることができ、左右を同時に抜栓するものに比べ、引張り力を小さくすることができる。
【００３２】
内容液の注出にあたって、容器をヒンジＡ２の反対方向に徐々に傾けると、キャップ本体Ａａ１の注出孔１８の前方口部１８ａの尖端部から内容液が細幅に流れ出るようにすることができる。
【００３３】
また、ヒンジＡ２の側方向のいずれかに徐々に傾けると、キャップ本体Ａａ１の注出孔１８の前横方口部１８ｂまたは後横方口部１８ｃのいずれかから内容液が広幅に流れ出るようにすることができる。
その他の作用効果は、実施例１と同じである。
【実施例３】
【００３４】
次に、第１実施例のキャップの隔壁の構成を変えた第３実施例について、説明する。
本実施例の第１実施例と同一の構成部分には、同一の符号を付して図示し、詳しい説明を省略し、相違点を中心に説明する。  
【００３５】
図４に示すように、キャップ本体Ａｂ１は、上方に拡径した注出筒４を具えており、注出筒４の下端には、注出口が開口される隔壁２０が連設されている。
【００３６】
隔壁２０には、下面から刻設された切断溝２１を介して除去部２２が形成され、除去部２２上面のヒンジＡ２側には、支柱８を介して指かけリング９が設けられている。
また、隔壁２０には、除去部２２を切り離すことによって、内容液を注出する注出孔２３が形成される。
【００３７】
切断溝２１は、ヒンジＡ２の反対側のほぼ半円の半円切断部２１ａと、半円切断部２１ａのいずれかの片端部より支柱８側に延びる大円弧切断部２１ｂと、大円弧切断部２１ｂの端部から支柱８の片側部に沿って縦方向に延びる縦方切断部２１ｃと、縦方切断部２１ｃの端部から半円部の端部に延びるととのに大円弧切断部２１ｂより小径に形成される小円弧切断部２１ｄとから形成されている。
【００３８】
除去部２２は、切断溝２１により、支柱８側の片側に凹部２２ａを形成したほぼ円形に形成されている。
【００３９】
次に、本実施例の容器の使用態様と作用効果について説明する。
指かけリング９を引張ることにより、支柱８を介し隔壁２０の除去部２２の支柱８側が引張られ、切断溝２１の大円弧切断部２１ｂのヒンジＡ２側端部から切断されていく。
【００４０】
さらに引張ると、大円弧切断部２１ｂをヒンジＡ２側から切断されていくとともに、縦方切断部２１ｃのヒンジＡ２側を引張り、縦方切断部２１ｃをヒンジＡ２側から切断してゆき、次に、小円弧切断部２１ｄを縦方切断部２１ｃ側から切断してゆき、最後は、大円弧切断部２１ｂと小円弧切断部２１ｄにより半円切断部２１ａを両端から切断して、隔壁２０から除去部２２を切り離し、注出孔２３を開口する。
【００４１】
本実施例のキャップは、隔壁２０の凹部２２ａにより、除去部２２の形状が左右非対称で配設され、隔壁２０から除去部２２を抜栓する際の引張る力の方向を、まず、横方向と縦方向に分散させることができ、左右を同時に抜栓するものに比べ、引張り力を小さくすることができる。
その他の作用効果は、実施例１と同じである。
【実施例４】
【００４２】
次に、第１実施例のキャップの隔壁の構成を変えた第４実施例について、説明する。
本実施例の第１実施例と同一の構成部分には、同一の符号を付して図示し、詳しい説明を省略し、相違点を中心に説明する。  
【００４３】
図５に示すように、キャップ本体Ａｃ１は、上方に拡径した注出筒４を具えており、注出筒４の下端には、注出口が開口される隔壁２５が連設されている。
【００４４】
隔壁２５には、下面から刻設された切断溝２６を介して除去部２７が形成され、除去部２７上面のヒンジＡ２側には、支柱８を介して指かけリング９が設けられている。
また、隔壁２５には、除去部２７を切り離すことによって、内容液を注出する注出孔２８が形成される。
【００４５】
切断溝２６は、ヒンジＡ２の反対側に配設されるとともに、片側端が半円より長く延びる半円切断部２６ａと、半円切断部２６ａの長い方の端部より内方に向かう後横方切断部２６ｂと、後横方切断部２６ｂの端部よりヒンジＡ２側に向かい延びる短縦方切断部２６ｃと、短縦方切断部２６ｃの端部に連設する支柱側切断部２６ｄと、支柱側切断部２６ｄの端部から中央に向かい延びる長縦方切断部２６ｅと、長縦方切断部２６ｅの端部から外方に向かうともに、半円切断部２６ａの短い方の端部に連結する前横方切断部２６ｆとを形成している。
【００４６】
除去部２７には、切断溝２６により、支柱８側の支柱部２７ａと、支柱部２７ａ側に隣接して小凹部２７ｂと、大凹部２７ｃとが形成され、前方にはほぼ半円形の前方部２７ｄが形成されている。
【００４７】
次に、本実施例の容器の使用態様と作用効果について説明する。
指かけリング９を引張ることにより、支柱８を介し隔壁２５の除去部２７の支柱部２７ａが引張られ、切断溝２６の支柱側切断部２６ｄのヒンジＡ２側から切断されていく。
【００４８】
さらに引張ると、切断溝２６の短縦方切断部２６ｃおよび長縦方切断部ｅをヒンジＡ２側から切断するとともに、除去部２７の小凹部２７ｂの後横方切断部２６ｂを中央側から切断し、次に、大凹部２７の前横方切断部２６ｆを中央側から切断してゆき、最後は、前方部２７ｄの半円切断部２６ａを切断して、隔壁２５から除去部２７を切り離し、注出孔２８を開口する。
【００４９】
本実施例のキャップは、隔壁２５の小凹部２７ｂと大凹部２７ｃにより、除去部２７の形状が左右非対称で配設され、隔壁２５から除去部２７を抜栓する際に、後横方切断部２６ｂと前方横方切断部２８ｆが時差をもって切断されることにより、横方向の部分を抜栓する力の一番かかる個所を分散させることができ、左右を同時に抜栓するものに比べ、引張り力を小さくすることができる。
その他の作用効果は、実施例１と同じである。
【００５０】
上記各実施例の隔壁の切断溝の深さは、ほぼ同じ深さで形成されているが、上面に支柱を配設した部分のヒンジ側の切断溝の深さを、他の深さに比べ深くすることにより、指かけリングを引張り、支柱を介して除去部を抜栓する際に、支柱を配設した部分のヒンジ側の切断溝を簡単に切断することができ、より弱い力で除去部を抜栓することができる。
【００５１】
上記各実施例のキャップでは、容器の口筒部に装着され、下端に隔壁を連設した注出筒を具えたキャップとしているが、本発明はキュップの注出孔を形成する隔壁に関するものであり、容器の口筒部を塞ぐ隔壁の構成であればどのようなものでもよく、例えば、容器の口筒部に装着される装着筒の上部内周に連設され、容器の口筒部を塞ぐ隔壁であってもよい。
注出孔を形成する隔壁以外のキャップの構成は、上記各実施例の形態に限定されない。
【産業上の利用可能性】
【００５２】
本発明は、キャップの隔壁の除去部の形状が縦方向に対して横方向に向かう部分が左右非対称に配設されることにより、隔壁の除去部および注出孔の形状が複雑になっても、より弱い力で除去部を抜栓することができる。
本発明のキャップは、醤油などの食用液を収納する容器だけでなく、医薬品や化粧料などの液体物の容器にも幅広く利用できる。
また、キャップとしてだけでなく、種々な中栓の注出筒の隔壁にも広く採用することができる。
【図面の簡単な説明】
【００５３】
【図１】本発明の第１実施例のキャップの説明図で、（ａ）は上面図、（ｂ）は断面立面図である。
【図２】キャップ本体の隔壁の説明図で、（ａ）は下面図、（ｂ）は除去部切り離し後の下面図である。
【図３】本発明の第２実施例のキャップ本体の隔壁の説明図で、（ａ）は下面図、（ｂ）は除去部切り離し後の下面図である。
【図４】本発明の第３実施例のキャップ本体の隔壁の説明図で、（ａ）は下面図、（ｂ）は除去部切り離し後の下面図である。
【図５】本発明の第４実施例のキャップ本体の隔壁の説明図で、（ａ）は下面図、（ｂ）は除去部切り離し後の下面図である。
【符号の説明】
【００５４】
Ａ              キャップ
Ａ１、Ａａ１、Ａｂ１、Ａｃ１  キャップ本体
Ａ２            ヒンジ
Ａ３            開閉蓋
１              上壁
２              外筒
３              内筒
４              注出筒
５、１５、２０、２５  隔壁
６、１６、２１、２６  切断溝
６ａ、６ｂ、６ｃ、６ｄ、６ｅ、１６ａ、１６ｂ、１６ｃ、１６ｄ  切断部
７、１７、２２、２７  除去部
７ａ、１７ａ、２７ａ  支柱部
７ｂ            後方部
７ｃ、２７ｄ    前方部
７ｄ、１７ｃ    後横方部
７ｅ、１７ｄ    前横方部
８              支柱
９              指かけリング
１０、１８、２３、２８  注出孔
１０ａ          前方口部
１０ｂ、１８ｂ  前横方口部
１０ｃ、１８ｃ  後横方口部
１０ｄ、１８ｄ  後方口部
１７ｂ          前方部
１８ａ          前方口部
２１ａ、２６ａ  半円切断部
２１ｂ          大円弧切断部
２１ｃ          縦方切断部
２１ｄ          小円弧切断部
２２ａ          凹部
２６ｂ          後横方切断部
２６ｃ          短縦方切断部
２６ｄ          支柱側切断部
２６ｅ          長縦方切断部
２６ｆ          前横方切断部
２７ｂ          小凹部
２７ｃ          大凹部
【図１】
0005214320.tif 000002
【図２】
0005214320.tif 000003
【図３】
0005214320.tif 000004
【図４】
0005214320.tif 000005
【図５】
0005214320.tif 000006